(57)【要約】【課題】照明を有しており光の照射方向を選択可能である手摺装置を提供する。【解決手段】手摺部と、支柱と、ブラケットと、照明部を備え、前記手摺部は、直線状に延びるものであり、前記ブラケットは、前記支柱に設けてあって、前記手摺部を支持するものであり、前記照明部は、前記手摺部に取り付けてあって、前記手摺部の長手方向軸周りの一部方向に光を照射するものであり、前記ブラケットに対する、前記手摺部の長手方向軸回りの取付角度が選択可能である。【選択図】図１
2019124088.tif 000002
【特許請求の範囲】
【請求項１】
手摺部と、支柱と、ブラケットと、照明部を備え、
前記手摺部は、直線状に延びるものであり、
前記ブラケットは、前記支柱に設けてあって、前記手摺部を支持するものであり、
前記照明部は、前記手摺部に取り付けてあって、前記手摺部の長手方向軸周りの一部方向に光を照射するものであり、
前記ブラケットに対する、前記手摺部の長手方向軸回りの取付角度が選択可能であることを特徴とする手摺装置。
【請求項２】
手摺部と、支柱と、ブラケットと、照明部を備え、
前記手摺部は、直線状に延びるものであり、
前記ブラケットは、前記支柱に設けてあって、前記手摺部を支持するものであり、
前記照明部は、前記手摺部に取り付けてあって、前記手摺部の長手方向軸周りの一部方向に光を照射するものであり、
前記手摺部に対する、前記照明部の手摺部長手方向軸回りの取付角度が選択可能であることを特徴とする手摺装置。
【発明の詳細な説明】
【技術分野】
【０００１】
本発明は、歩行者を補助するために設置される手摺装置に関する。
【背景技術】
【０００２】
ベランダや通路などに設置される手摺装置において、従来、特許文献１に示すように、歩行者が手を掛けるための手摺部に照明を内蔵したものがある。この照明は、下向きに光を照射するものであり、設置面を照射して歩行者の安全を確保するものである。
【先行技術文献】
【特許文献】
【０００３】
【特許文献１】特許第５６２８９９７号公報
【発明の概要】
【発明が解決しようとする課題】
【０００４】
しかしながら、特許文献１の手摺装置は、照明の照射方向が下向きに固定されており、それ以外の方向に光を照射することはできなかった。よって、たとえば通路の中央などの手摺装置から離れた場所に向けて光を照射したい場合には対応できなかった。
【０００５】
本発明は、このような事情を鑑みたものであり、照明を有しており光の照射方向を選択可能である手摺装置を提供することを目的とする。
【課題を解決するための手段】
【０００６】
本発明のうち請求項１の発明は、手摺部と、支柱と、ブラケットと、照明部を備え、前記手摺部は、直線状に延びるものであり、前記ブラケットは、前記支柱に設けてあって、前記手摺部を支持するものであり、前記照明部は、前記手摺部に取り付けてあって、前記手摺部の長手方向軸周りの一部方向に光を照射するものであり、前記ブラケットに対する、前記手摺部の長手方向軸回りの取付角度が選択可能であることを特徴とする。
【０００７】
本発明のうち請求項２の発明は、手摺部と、支柱と、ブラケットと、照明部を備え、前記手摺部は、直線状に延びるものであり、前記ブラケットは、前記支柱に設けてあって、前記手摺部を支持するものであり、前記照明部は、前記手摺部に取り付けてあって、前記手摺部の長手方向軸周りの一部方向に光を照射するものであり、前記手摺部に対する、前記照明部の手摺部長手方向軸回りの取付角度が選択可能であることを特徴とする。
【発明の効果】
【０００８】
本発明のうち請求項１の発明によれば、照明部を取り付けた手摺部の長手方向軸周りの取付角度が選択可能であるから、設置場所の状況に応じて、適宜照明部の光の照射方向を変更することができる。
【０００９】
本発明のうち請求項２の発明によれば、照明部の手摺部長手方向軸周りの取付角度が選択可能であるから、設置場所の状況に応じて、適宜照明部の光の照射方向を変更することができる。また、手摺部とこれに取り付ける照明部のみで光の照射方向を変更することができ、それ以外の部材については従来品と共用できるので、製造コストを抑えられる。
【図面の簡単な説明】
【００１０】
【図１】手摺装置の第一実施形態の上部の縦断面図である。
【図２】第一実施形態の手摺部の拡大縦断面図であり、（ａ）は図４のＡ−Ａ線断面図、（ｂ）は図４のＢ−Ｂ線断面図である。
【図３】第一実施形態の手摺部の拡大縦断面図により照明部の照射方向の変化を示すものであり、（ａ）は前下方向とした場合、（ｂ）は後下方向とした場合である。
【図４】第一実施形態の全体背面図である。
【図５】第一実施形態の全体縦断面図である。
【図６】第一実施形態の部分横断面図である。
【図７】第一実施形態の全体斜視図である。
【図８】第一実施形態の手摺部の部分拡大背面図である。
【図９】手摺装置の第二実施形態の手摺部の拡大縦断面図により照明部の照射方向の変化を示すものであり、（ａ）は下方向とした場合、（ｂ）は前下方向とした場合、（ｃ）は後上方向とした場合である。
【図１０】手摺装置の第三実施形態の上部の縦断面図である。
【図１１】第三実施形態の手摺部の拡大縦断面図であり、図１３のＣ−Ｃ線断面図である。
【図１２】第三実施形態の手摺部の拡大縦断面図により照明部の照射方向の変化を示すものであり、（ａ）は手摺部を回転させて前下方向とした場合、（ｂ）は手摺部を回転させて後下方向とした場合、（ｃ）は照明部を回転させて前下方向とした場合、（ｄ）は照明部を回転させて後下方向とした場合である。
【図１３】第三実施形態の全体背面図である。
【図１４】第三実施形態の手摺部の部分拡大背面図である。
【図１５】手摺装置の第四実施形態を示し、（ａ）は上部の縦断面図、（ｂ）は全体背面図である。
【図１６】手摺装置の第五実施形態を示し、（ａ）は上部の縦断面図、（ｂ）は全体背面図である。
【発明を実施するための形態】
【００１１】
以下、本発明の手摺装置の具体的な内容について説明する。なお、以下において、前後方向とは手摺装置の見込方向であり、図５に示すように、後記のパネル体側を前側、手摺部側を後側とする。この手摺装置は、種々の場所に設置して用いられるものであり、たとえば、歩行の補助及び転落の防止を目的として、集合住宅の通路やベランダに設置されるものである。この場合、手摺装置の後側が建物側となる。
【００１２】
まず、手摺装置の第一実施形態の全体構成について説明する。図４〜図７に示すように、この手摺装置は、手摺部１と、支柱２と、ブラケット３と、照明部４と、パネル体５を備える。支柱２は、左右に複数本（図示の例では２本）並べて設置面に立設してあり、各支柱２の上端部に、ブラケット３を取り付けてある。ブラケット３は、支柱２から後側に持ち出して手摺部１を支持している。手摺部１は、断面略円形で、左右に直線状に延びており、照明部４を内蔵している。そして、支柱２の前側に、支柱２と離隔してパネル体５を設けてある。パネル体５の上端部は、ブラケット３に固定されており、パネル体５の下端部は、支柱２の前側面に設けた取付具６に固定されている。なお、図示の例は支柱２が２本だけの最小左右幅の構成のものであるが、より幅広い領域に設置する場合には、支柱２の本数を増やして、同様の構成を左右に連設できる。
【００１３】
続いて、手摺装置の第一実施形態の各構成部材について説明する。支柱２は、断面略矩形のアルミニウム製の押出型材からなる。設置面には、芯材（図示省略）の下側部分を埋め込んで立設してあり、芯材の設置面から突出した部分に支柱２を外挿し、外周側からネジ止めして固定してある。こうして、支柱２をその長手方向が鉛直方向となるように、設置面に対して立設してある。なお、支柱２の前側面の下部には、略Ｌ字形の取付具６を取り付けてある。取付具６は、水平片６１と垂直片６２からなり、垂直片６２を支柱２の前側面にネジ止めしてあり、水平片６１が支柱２から前側に向けて突出している。
【００１４】
ブラケット３は、図１及び図５に示すように、側面視して略ｙ字形のアルミニウム製の押出型材からなり（押出方向は左右方向）、その左右幅は支柱２の左右幅と略同じである。以下、側面視した状態に基づきブラケット３の形状を説明するものであり、支柱２の上端部から後上方向に向けて延びる後側腕部３１と、後側腕部３１の前側面から前上方向に向けて延びる前側腕部３２を有している。後側腕部３１は、先端側に向けてやや先細り形状となっていて、基端部の下面は水平面になっており、支柱２の上端を丁度覆っている。下面からは下向きに２本の取付腕部３６が延びており、取付腕部３６の先端に形成したタッピングホールに対して支柱２の左右方向からネジ止めして固定してある。そして、後側腕部３１の後端部からは突出片が後側に向けて延びており、後側腕部３１の先端部と突出片とで、手摺部１を支持する支持部３３を形成している。図２に示すように、支持部３３は、その上面のうち、前後方向中央部分が水平面３３１となっており、水平面３３１の前後部分が円弧面３３２となっている。また、支持部３３の水平面３３１の位置には、ネジ孔３３３を形成してある。なお、後側腕部３１は、外形を構成する部分以外が肉抜きされた構造となっているが、そこに左右からキャップ３７を取り付けて塞いである。一方、前側腕部３２は、先端側に向けてやや先細り形状となった平板状のもので、先端部は後側腕部３１の先端部よりも高い位置まで延びている。そして、先端部から上側に向けて延びる固定片３４を有しており、さらに固定片３４の根元部から前側に向けて延び前上側に向けて屈曲する略くの字形の受片３５を有している。
【００１５】
手摺部１は、図１及び図２に示すように、左右に直線状に延びる断面略円形のものである。なお、手摺部１は、後記のように長手方向軸周りの取付角度が選択可能であるが、ここでは図１に示す状態に基づき形状を説明する。この手摺部１は、上側部分となる本体部１１と、下側部分となる目板部１２及びカバー部１３を有する。本体部１１は、アルミニウム製の押出型材からなり、断面形状は、円の下側部分を切り欠いた中心角が約２４０度の円弧状で、前後の下端部には内側に向けて突出する係合片１１１を形成してある。この本体部１１の外周面は、ブラケット３の支持部３３の円弧面３３２に丁度内接する形状である。そして、図８に示すように、この本体部１１の下側部分のうち、長手方向においてブラケット３の支持部３３に対向する部分には目板部１２を取り付けてあり、それ以外の部分にはカバー部１３を取り付けてある。目板部１２は、アルミニウム製の押出型材からなり、図２（ａ）に示すように、下側部分が平板を２箇所で屈曲させた形状で、その下面のうち、前後方向中央部分の中央面１２１が水平向きの面となっており、中央面１２１の前後の前側面１２２及び後側面１２３が、それぞれ中央面１２１に対して上向きに２５度傾斜した面となっている。そして、目板部１２の、中央面１２１、前側面１２２及び後側面１２３の位置には、それぞれネジ孔１２４を形成してある。また、前側面１２２の前側及び後側面１２３の後側には、それぞれ前側面１２２及び後側面１２３よりも短い円弧面１２５を形成してある。さらに、前後の上端部には外側に向けて開口する係合溝１２６を形成してある。前後の係合溝１２６に本体部１１の前後の係合片１１１を係合させて取り付けてあり、本体部１１の外周面と目板部１２の円弧面１２５が連続面となる。また、前後の係合溝１２６の内側部分には、それぞれ内側に向けて開口する取付溝１２７を形成してある。一方、カバー部１３は、透光性の樹脂からなり、図２（ｂ）に示すように、下側部分が本体部１１と同じ曲率半径で中心角が約１２０度の円弧状で、前後の上端部には外側に向けて開口する係合溝１３１を形成してある。前後の係合溝１３１に本体部１１の前後の係合片１１１を係合させて取り付けてあり、本体部１１とカバー部１３が一体となって断面円形となる。また、前後の係合溝１３１の内側部分には、それぞれ内側に向けて開口する取付溝１３２を形成してある。なお、本体部１１に取り付けた状態において、目板部１２の下端部は、カバー部１３の下端部より上側に位置している。
【００１６】
そして、このように構成した手摺部１は、図１及び図２に示すように、ブラケット３の支持部３３に支持されている。前述のように、手摺部１において、長手方向の支持部３３に対向する部分には、目板部１２を取り付けてある。そして、目板部１２の中央面１２１が、支持部３３の水平面３３１に当接しており、目板部１２の円弧面１２５及び本体部１１の外周面の下端部が、支持部３３の円弧面３３２に当接している。手摺部１の本体部１１の外周面は、支持部３３の円弧面３３２に丁度内接する形状なので、手摺部１は支持部３３に丁度嵌まり込んだ状態となる。そして、この状態で、支持部３３の水平面３３１のネジ孔３３３と、手摺部１の目板部１２の中央面１２１のネジ孔１２４が連通するので、下側からネジを螺入して、手摺部１を支持部３３に固定してある。
【００１７】
照明部４は、図１、図２、図４〜図６に示すように、手摺部１の長手方向に延び左右に隣接する支柱２に跨る長さのユニットで、ＬＥＤからなる発光部４１と、ユニットの前後から突出する取付片４２を有する。前後の取付片４２の左右端部を手摺部１の目板部１２の前後の取付溝１２７に嵌め込み、それ以外の部分をカバー部１３の前後の取付溝１３２に嵌め込んで、発光部４１が下向きとなるように取り付けてある。発光部４１は指向性を有しており、ユニットの長手方向軸周りの一部方向、すなわち図１の状態で下向きに光を照射するものである。照明部４の光は、透光性のカバー部１３を透過して外周側に照射される。なお、照明部４の配線４３は、図１、図５及び図６に示すように、ブラケット３の後側腕部３１のキャップ３７で塞いだ内側を通り、支柱２の内部を通って手摺装置の下部へと延びている。
【００１８】
パネル体５は、図４〜図６に示すように、アルミニウム製の押出型材からなる上枠５１、下枠５２及び左右の縦枠５３を四周枠組みして形成した枠体の内周側に、ガラスパネル５４を嵌め込んで構成したものである。上枠５１は、下向きに開口する断面略コ字形の外側部材５１１と、外側部材５１１の開口部を塞ぎ前後方向中央部に下向きに開口する溝部を形成してある内側部材５１２からなる。そして、内側部材５１２の下面をブラケット３の受片３５に当接させ、外側部材５１１の後側面をブラケット３の固定片３４に当接させ後側からネジ止めして固定してある。下枠５２は、下向きに開口する断面略コ字形で上面に上向きに開口する溝部を形成してある外側部材５２１と、外側部材５２１の内側に納まり上向きに開口する断面略コ字形の内側部材５２２からなる。そして、内側部材５２２が、取付具６の水平片６１に載置してあって水平片６１に上側からネジ止めしてあり、外側部材５２１が、内側部材５２２を覆って取付具６の水平片６１に載置してあって内側部材５２２に後側からネジ止めしてある。なお、図６に示すように、内側部材５２２は短尺の部材で、これらのネジ止め部分にのみ設けてある。左右の縦枠５３は、対称な構成であり、ガラスパネル５４の端面及び後側面に対向する断面略Ｌ字形の基材５３１と、ガラスパネル５４の前側面に対向する押縁材５３２からなる。基材５３１の上下端部は上枠５１の内側部材５１２及び下枠５２の外側部材５２１にネジ止めしてあり、ガラスパネル５４を上枠５１と下枠５２にケンドンで嵌め込んだ後、縦枠５３の押縁材５３２を取り付けて固定するものである。
【００１９】
このように構成した手摺装置の第一実施形態は、手摺部１が歩行を補助し、パネル体５が転落を防止するものであって、手摺部１に内蔵された照明部４が垂直下向きに光を照射するので、設置面、すなわち歩行者の足元が明るくなり、安全性が向上するものである。
【００２０】
そして、この手摺装置の第一実施形態においては、ブラケット３の支持部３３に対する、手摺部１の長手方向軸周りの取付角度が、図１及び図２に示す場合を含めて３通りに選択可能である。図１及び図２の場合、照明部４の光の照射方向が垂直下向きであるのに対し、他の２通りは、図３に示すように、照明部４の光の照射方向が前下向き及び後下向きとなる。まず、図３（ａ）に示す場合、手摺部１の目板部１２の後側面１２３が、支持部３３の水平面３３１に当接しており、目板部１２の円弧面１２５及び本体部１１の外周面の下端部が、支持部３３の円弧面３３２に当接している。この場合でも、手摺部１の本体部１１の外周面は、支持部３３の円弧面３３２に丁度内接する形状なので、手摺部１は支持部３３に丁度嵌まり込んだ状態となる。そして、この状態で、支持部３３の水平面３３１のネジ孔３３３と、手摺部１の目板部１２の後側面１２３のネジ孔１２４が連通するので、下側からネジを螺入して、手摺部１を支持部３３に固定してある。目板部１２の後側面１２３は、中央面１２１に対して２５度傾斜しているので、手摺部１は図１及び図２の場合に対して時計回りに２５度回転した状態となり、照明部４の光の照射方向は、垂直下向きから前側へ２５度傾いた向きとなる。一方、図３（ｂ）に示す場合、手摺部１の目板部１２の前側面１２２が、支持部３３の水平面３３１に当接しており、目板部１２の円弧面１２５及び本体部１１の外周面の下端部が、支持部３３の円弧面３３２に当接している（ただし、支持部３３の後側の円弧面３３２は短いので、本体部１１の外周面の後側の下端部は当接しない）。この場合でも、手摺部１の本体部１１の外周面は、支持部３３の円弧面３３２に丁度内接する形状なので、手摺部１は支持部３３に丁度嵌まり込んだ状態となる。そして、この状態で、支持部３３の水平面３３１のネジ孔３３３と、手摺部１の目板部１２の前側面１２２のネジ孔１２４が連通するので、下側からネジを螺入して、手摺部１を支持部３３に固定してある。目板部１２の前側面１２２は、中央面１２１に対して２５度傾斜しているので、手摺部１は図１及び図２の場合に対して反時計回りに２５度回転した状態となり、照明部４の光の照射方向は、垂直下向きから後側へ２５度傾いた向きとなる。
【００２１】
このように、目板部１２の中央面１２１、前側面１２２及び後側面１２３の中から、支持部３３の水平面３３１に当接させる面を選択することで、照明部４を取り付けた手摺部１の長手方向軸周りの取付角度を選択することができる。そしてこれにより、設置場所の状況に応じて、適宜照明部４の光の照射方向を変更することができる。すなわち、図１及び図２に示すように、目板部１２の中央面１２１を支持部３３の水平面３３１に当接させると、照明部４の光の照射方向は下向きとなり、手摺部１に手を掛ける歩行者の足元を照らすことができる。また、図３（ａ）に示すように、目板部１２の後側面１２３を支持部３３の水平面３３１に当接させると、照明部４の光の照射方向は前下向きとなり、パネル体５を照射して、間接照明として用いることができる。さらに、図３（ｂ）に示すように、目板部１２の前側面１２２を支持部３３の水平面３３１に当接させると、照明部４の光の照射方向は後下向きとなり、手摺装置から離隔した通路やベランダの中央部を照らすことができる。
【００２２】
次に、本発明の手摺装置の第二実施形態について説明する。第二実施形態の全体構成は、第一実施形態と同様であり、ブラケット３の支持部３３と手摺部１の形状のみが異なっている。以下、第一実施形態と異なる部分についてのみ説明する。
【００２３】
ブラケット３の支持部３３は、図９に示すように、その上面が３０度ずつ傾斜して前後に並ぶ４つの面からなり、前から３つ目の面が水平面３３１となっている。そして、支持部３３の水平面３３１の位置には、ネジ孔３３３を形成してある。
【００２４】
手摺部１は、図９に示すように、左右に直線状に延びる断面略正十二角形のものである。なお、手摺部１は、後記のように長手方向軸周りの取付角度が選択可能であるが、ここでは図９（ａ）に示す状態に基づき形状を説明する。この手摺部１は、上側部分となる本体部１１と、下側部分となる目板部１２及びカバー部を有する。本体部１１は、断面形状が正十二角形の下側の５辺を切り欠いた形状で、前後の下端部には内側に向けて突出する係合片１１１を形成してある。目板部１２は、アルミニウム製の押出型材からなり、断面形状が本体部１１の切り欠いた５辺に対応する形状である。また、目板部１２の前後の上端部には外側に向けて開口する係合溝１２６を形成してある。前後の係合溝１２６に本体部１１の前後の係合片１１１を係合させて取り付けてあり、本体部１１と目板部１２が一体となって断面正十二角形となる。この本体部１１及び目板部１２の外周面は、ブラケット３の支持部３３の上面に丁度内接する形状である。また、前後の係合溝１２６の内側部分には、それぞれ内側に向けて開口する取付溝１２７を形成してある。一方、カバー部は、透光性の樹脂からなり、目板部１２と同じ断面形状であって、前後の係合溝に本体部１１の前後の係合片１１１を係合させて取り付けてあり、本体部１１とカバー部が一体となって断面正十二角形となる。また、前後の係合溝の内側部分には、それぞれ内側に向けて開口する取付溝を形成してあり、照明部４の取付片４２を嵌め込んで取り付けてある。
【００２５】
そして、このように構成した手摺部１は、図９（ａ）に示すように、ブラケット３の支持部３３に支持されている。手摺部１の本体部１１及び目板部１２の外周面は、支持部３３の上面に丁度内接する形状なので、手摺部１は支持部３３に丁度嵌まり込んだ状態となる。そして、この状態で、目板部１２における支持部３３の水平面３３１のネジ孔３３３に対応する位置にネジ孔を形成し、下側からネジを螺入して、手摺部１を支持部３３に固定してある。
【００２６】
そして、この手摺装置の第二実施形態においては、ブラケット３の支持部３３に対する、手摺部１の長手方向軸周りの取付角度が、１２通りに選択可能である。すなわち、手摺部１が断面正十二角形で、支持部３３に対して丁度内接する形状であるから、本体部１１及び目板部１２のどの面を支持部３３の水平面３３１に当接させてもよい。たとえば、図９（ａ）に示す場合、手摺部１の目板部１２の前後方向中央面が、支持部３３の水平面３３１に当接しており、照明部４の光の照射方向は、垂直下向きとなる。また、図９（ｂ）に示す場合、手摺部１の目板部１２の最も後側（図９（ａ）の状態基準）の面が、支持部３３の水平面３３１に当接しており、照明部４の光の照射方向は、垂直下向きから前側へ６０度傾いた向きとなる。さらに、図９（ｃ）に示す場合、手摺部１の本体部１１の前側から３番目（図９（ａ）の状態基準）の面が、支持部３３の水平面３３１に当接しており、照明部４の光の照射方向は、垂直上向きから後側へ３０度傾いた向きとなる。
【００２７】
このように、本体部１１及び目板部１２の各面の中から、支持部３３の水平面３３１に当接させる面を選択することで、照明部４を取り付けた手摺部１の長手方向軸周りの取付角度を選択することができる。そしてこれにより、設置場所の状況に応じて、適宜照明部４の光の照射方向を変更することができるものであり、３０度間隔で全周に向けることができる。
【００２８】
次に、本発明の手摺装置の第三実施形態について説明する。第三実施形態の全体構成は、第一実施形態と同様であり、ブラケット３の支持部３３、手摺部１の形状及び照明部４の形状のみが異なっている。以下、第一実施形態と異なる部分についてのみ説明する。
【００２９】
ブラケット３の支持部３３は、図１０及び図１１に示すように、その上面が略半円弧状の円弧面３３２からなる。そして、支持部３３の下端部からやや後側にずれた位置には、ネジ孔３３３を形成してある。
【００３０】
手摺部１は、図１０及び図１１に示すように、左右に直線状に延びる断面円形のものである。なお、手摺部１は、後記のように長手方向軸周りの取付角度が選択可能であるが、ここでは図１０及び図１１に示す状態に基づき形状を説明する。この手摺部１は、アルミニウム製の押出型材からなる断面円形の本体部１１を備え、本体部１１の外周面は、ブラケット３の支持部３３の円弧面３３２に丁度内接する形状である。第一実施形態及び第二実施形態のような目板部やカバー部は有していない。そして、本体部１１の内周側面の前側部分及び後側部分に、内周側に向けて突出する２枚１組の突出片からなる取付溝１４を３つずつ設けてある。より詳しくは、取付溝１４は前後それぞれにおいて上下対称に等間隔に設けてあり、水平方向に対して０度、＋３０度、−３０度の位置に形成されている。さらに、図１３及び図１４に示すように、本体部１１の、後記の照明部４を設けた位置の下側部分に、貫通孔１５を形成してある。貫通孔１５は、本体部１１の下側面の、垂直下向きから前側及び後側にそれぞれ約６０度の範囲を切り欠いたものであって、透光性の樹脂からなる蓋部材１６により塞いであり、本体部１１と蓋部材１６が一体となって断面円形となっている。
【００３１】
そして、このように構成した手摺部１は、図１０及び図１１に示すように、ブラケット３の支持部３３に支持されている。手摺部１は断面円形で、支持部３３の円弧面３３２に丁度内接する形状なので、手摺部１は支持部３３に丁度嵌まり込んだ状態となり、長手方向軸周りに自在に回転させられる。そして、所望の取付角度とした状態で、支持部３３のネジ孔３３３に対応する位置にネジ孔を形成し、下側からネジを螺入して、手摺部１を支持部３３に固定してある。
【００３２】
照明部４は、図１０、図１１、図１３、図１４に示すように、手摺部１の長手方向長さに対して短尺のユニットで、ＬＥＤからなる発光部４１と、ユニットの前後から突出する取付片４２を有し、図示の例では手摺部１内に２つ設けてある。それぞれ前後の取付片４２を手摺部１の前後の取付溝１４に嵌め込んで、発光部４１が下向きとなるように取り付けてある。ただし、ここでは水平方向に対して０度の位置の取付溝１４に嵌め込んである。発光部４１は指向性を有しており、手摺部１の長手方向軸周りの一部方向、すなわち図１０の状態で下向きに光を照射するものである。照明部４の光は、貫通孔１５を通って外周側に照射される。
【００３３】
そして、この手摺装置の第三実施形態においては、ブラケット３の支持部３３に対する、手摺部１の長手方向軸周りの取付角度が、任意に選択可能である。すなわち、手摺部１が断面円形で、支持部３３に対して丁度内接する形状であるから、支持部３３に対して手摺部１が回転自在である。たとえば、図１０及び図１１に示す場合、照明部４の光の照射方向は、垂直下向きとなる。また、図１２（ａ）に示す場合、照明部４の光の照射方向は、前下向きとなる。さらに、図１２（ｂ）に示す場合、照明部４の光の照射方向は、後下向きとなる。
【００３４】
さらに、第三実施形態においては、手摺部１に対する、照明部４の手摺部長手方向軸回りの取付角度が、３通りに選択可能である。すなわち、手摺部１の内周側面には、前後それぞれ３つの取付溝１４が形成されており、対向する３組の取付溝１４から１組を選ぶことができる。たとえば、図１０及び図１１に示す場合、水平方向に対して０度の取付溝１４を用いており、照明部４の光の照射方向は、垂直下向きとなる。また、図１２（ｃ）に示す場合、手摺部１の取付角度は図１０及び図１１の場合と同じであって、前側が水平方向に対して＋３０度の取付溝１４、後側が水平方向に対して−３０度の取付溝１４を用いており、照明部４の光の照射方向は、垂直下向きから前側へ３０度傾いた向きとなる。さらに、図１２（ｄ）に示す場合、手摺部１の取付角度は図１０及び図１１の場合と同じであって、前側が水平方向に対して−３０度の取付溝１４、後側が水平方向に対して＋３０度の取付溝１４を用いており、照明部４の光の照射方向は、垂直下向きから後側へ３０度傾いた向きとなる。なお、貫通孔１５は、本体部１１の垂直下向きから前側及び後側にそれぞれ約６０度の範囲にわたって形成してあるので、手摺部１に対して照明部４がどの向きに取り付けられた場合でも、光が貫通孔１５を透過する。
【００３５】
このように、支持部３３に対して、照明部４を取り付けた手摺部１の長手方向軸周りの取付角度を選択することができるので、設置場所の状況に応じて、適宜照明部４の光の照射方向を変更することができるものであり、無段階で全周に向けることができる。また、手摺部１の取付角度を変えるのではなく、手摺部１の複数組の取付溝１４の中から、照明部４の取付片４２を嵌め込む取付溝１４を選択することでも、照明部４の光の照射方向を変更することができる。この場合、照明部４の取付片４２を適宜選択した取付溝１４に嵌め込むだけでよいので、施工が容易である。そして、この第三実施形態では、手摺部１とこれに取り付ける照明部４のみで光の照射方向を変更することができ、それ以外の部材については、断面円形の手摺部を有する従来の手摺装置と共用できるので、製造コストを抑えられる。
【００３６】
次に、本発明の手摺装置の第四実施形態について説明する。第四実施形態の全体構成は、第一実施形態と同様であり、パネル体５の形状のみが異なっている。以下、第一実施形態と異なる部分についてのみ説明する。第四実施形態のパネル体５は、図１５に示すように、アルミニウム製の押出型材からなる上枠５１と下枠５２を備える。第一実施形態の上枠及び下枠とは、溝部が無い点が異なっている。そして、上枠５１と下枠５２の間に、上下に延びる格子材５５を設けてある。格子材５５は、断面略矩形のアルミニウム製の押出型材からなるもので、左右に等間隔に複数本並んでおり、上端部が上枠５１側からネジ止めして上枠５１に固定してあり、下端部が下枠５２側からネジ止めして下枠５２に固定してある。
【００３７】
この手摺装置の第四実施形態においては、パネル体５をこのような格子構造とすることで、採光・採風を確保しつつ、歩行者の転落を防止できる。そして、第一実施形態と同様に、照明部４を取り付けた手摺部１の長手方向軸周りの取付角度を選択することができ、これにより、設置場所の状況に応じて、適宜照明部４の光の照射方向を変更することができる。
【００３８】
次に、本発明の手摺装置の第五実施形態について説明する。第五実施形態の全体構成は、第一実施形態と同様であり、パネル体５の形状のみが異なっている。以下、第一実施形態と異なる部分についてのみ説明する。第五実施形態のパネル体５は、図１６に示すように、アルミニウム製の押出型材からなる上枠５１と下枠５２を備える。第一実施形態の上枠及び下枠とは、溝部が無い点が異なっている。また、上枠５１と下枠５２の間に、上下に延びる縦桟５６を設けてある。縦桟５６は、断面略矩形のアルミニウム製の押出型材からなるもので、左右に離隔して２本設けてあり、上端部が上枠５１側からネジ止めして上枠５１に固定してあり、下端部が下枠５２側からネジ止めして下枠５２に固定してある。そして、２本の縦桟５６の前側面に、左右に延びるガラリ材５７を設けてある。ガラリ材５７は、アルミニウム製の押出型材からなるもので、断面形状は、平行四辺形で前上端部と後下端部からヒレ片が延びるものである。これが上下に等間隔に複数本並んでおり、縦桟５６側からネジ止めして縦桟５６に固定してある。
【００３９】
この手摺装置の第五実施形態においては、パネル体５をこのようなガラリ構造とすることで、採光・採風を確保しつつ、外部からの視線を遮断する目隠しとなり、さらに歩行者の転落を防止できる。そして、第一実施形態と同様に、照明部４を取り付けた手摺部１の長手方向軸周りの取付角度を選択することができ、これにより、設置場所の状況に応じて、適宜照明部４の光の照射方向を変更することができる。
【００４０】
なお、前記の第一〜第五実施形態においては、ブラケットが、支柱の上端に設けてあって、後上方向に向けて延びる後側腕部と、後側腕部の前側面から前上方向に向けて延びる前側腕部を有している。そして、後側腕部の先端に支持部を設けてあって、支持部が手摺部を支持しており、前側腕部の先端に固定片を設けてあって、固定片にパネル体を固定してある。これにより、パネル体と、手摺部に設けた照明部とが前後に離隔する。
【００４１】
すなわち、これらの手摺装置は、支柱の前側に支柱から離隔して設けてあるパネル体を備え、ブラケットは、支柱の上端に設けてあって、前側に延び先端部にパネル体を固定する前側腕部と後側に延び先端部で手摺部を支持する後側腕部を有しており、照明部の照射方向をパネル体側に向けられるものである。
【００４２】
このような構成によれば、パネル体を備え、照明部がパネル体から離隔していることで、パネル体の広い範囲を照射することができるので、間接照明として好適である。
【００４３】
また、第一、第四、第五実施形態においては、手摺部の目板部が、中央面と、中央面に対して２５度傾斜した前側面及び後側面を有しており、何れかの面を支持部の水平面に当接させることで、支持部に対して手摺部の長手方向軸周りの取付角度が固定される。よって、目板部の中央面、前側面及び後側面と、支持部の水平面とが、支持部に対して手摺部を長手方向軸周りに２５度間隔で角度決めできる角度決め機構となっている。さらに、第二実施形態においては、手摺部が断面正十二角形で、支持部の上面に丁度内接する形状なので、手摺部を支持部に嵌まり込ませることで、支持部に対して手摺部の長手方向軸周りの取付角度が固定される。よって、手摺部の外周面と支持部の上面とが、支持部に対して手摺部を長手方向軸周りに３０度間隔で角度決めできる角度決め機構となっている。
【００４４】
すなわち、これらの手摺装置は、手摺部と支持部に、支持部に対して手摺部を長手方向軸周りに所定角度間隔で角度決めできる角度決め構造を設けてある。
【００４５】
このような構成によれば、手摺部と支持部に角度決め構造があるので、手摺部を所望の取付角度で支持部に取り付けることが容易である。そして特に、手摺部を長手方向に複数本並べて設ける際には、手摺部同士の取付角度を合わせることが容易になる。
【００４６】
また、第三実施形態においては、手摺部の内周側面に３０度間隔で３組の取付溝が形成されており、１組を選んで照明部の取付片を嵌め込むことで、手摺部に対して照明部の手摺部長手方向軸周りの取付角度が固定される。よって、手摺部の取付溝と照明部の取付片とが、手摺部に対して照明部を手摺部長手方向軸周りに３０度間隔で角度決めできる角度決め機構となっている。
【００４７】
すなわち、この手摺装置は、照明部と手摺部に、手摺部に対して照明部を手摺部長手方向軸周りに所定角度間隔で角度決めできる角度決め構造を設けてある。
【００４８】
このような構成によれば、照明部と手摺部に角度決め構造があるので、照明部を所望の取付角度で手摺部に取り付けることが容易である。そして特に、手摺部を長手方向に複数本並べて設ける際には、異なる手摺部に設けられた照明部同士の取付角度を合わせることが容易になる。
【００４９】
また、第二実施形態においては、手摺部の本体部と目板部が一体となって断面正十二角形となっていることにより、支持部側から本体部又は目板部の何れの面に対してもネジを螺合できる。よって、手摺部の支持部に対応する長手方向位置の全周がネジ受け面となっている。さらに、第三実施形態においては、手摺部が断面円形であることにより、支持部側から手摺部のどの位置に対してもネジを螺合できる。よって、手摺部の支持部に対応する長手方向位置の全周がネジ受け面となっている。
【００５０】
すなわち、これらの手摺装置は、支持部に対して手摺部をネジ止めして固定するものであって、手摺部は、支持部に対応する長手方向位置の全周にネジ受け面を有する。
【００５１】
このような構成によれば、手摺部が全周にネジ受け面を有するので、手摺部をどの向きにしてもネジ止めが可能であり、照明部の光の照射方向を任意に選択できる。
【００５２】
また、第一、第二、第四、第五実施形態のように、手摺部が本体部とカバー部を備える場合において、断面円形又は断面正多角形の一部からなる本体部に対して、カバー部の外周面がその円形又は正多角形よりも外周側に突出するものであってもよい。
【００５３】
すなわち、手摺部に、照明部を覆いかつ光を透過するカバー部を設けてあり、カバー部は、手摺部のカバー部を設けない部分の外周面よりも外周側に突出しているものであってもよい。
【００５４】
このような構成によれば、照明部を覆うカバー部が手摺部の外周面から外周側に突出しているので、歩行者の手が発熱した照明部に直接触れることがなく安全であるとともに、照明部が破損することを防ぐ。そして、歩行者が手摺部を握った際、手摺部のカバー部を設けない部分の外周面とカバー部の境目に形成される凹部に指が掛かり、指がカバー部自体に被さりにくく、照明部から照射される光が妨げられにくい。
【００５５】
さらに、前記の各実施形態とは異なる参考形態として、パネル体が、透光性を有する表示部を備えるものであってもよい。ここで、表示部とは、文字、図柄、写真、色彩などを平面上に表示したもの又は立体的形状で表示したもので、広告や案内など情報伝達のために用いられるものであってもよいし、装飾として用いられるものであってもよい。具体的には、一例として、ガラスなどからなる透明なパネルに文字や図柄などを表したものが挙げられる。この際、文字や図柄などは、パネルの表面に描いてもよいし、パネルに彫り込んでもよいし、それらを表示したシートをパネルに張り付けてもよい。また、別の例として、不透明なパネルに孔を開けて文字や図柄などを表したものが挙げられる。さらに、別の例として、彫刻などの立体的構造物により、文字や図柄などを表したものが挙げられる。そして、この参考形態においては、照明部がパネル体を後側から照らすものであって、これにより、表示部の表示が設置面に投影される。この際、表示部の表示内容は、設置面に投影された状態で判読されるものであり、必ずしも表示部を直接視認して判読できるものでなくてもよい。また、この参考形態においては、必ずしも照明部の光の照射方向が変更できるものでなくてもよい。
【００５６】
すなわち、この手摺装置は、手摺部と、支柱と、ブラケットと、照明部と、パネル体を備え、手摺部は、直線状に延びるものであり、照明部は、手摺部に取り付けてあって、手摺部の長手方向軸周りの一部方向に光を照射するものであり、ブラケットは、支柱に設けてあって、手摺部を支持する支持部を有しており、パネル体は、支柱の前側に支柱から離隔して設けてあって、透光性を有する表示部を備えており、照明部がパネル体を後側から照射して、表示部の表示を設置面に投影するものである。
【００５７】
このような構成によれば、パネル体が表示部を有していて、その表示の内容により、装飾、広告、各種案内など、種々の目的で用いることができる。そして特に、その表示を設置面に投影するという、従来にない形態の表示方法ができるものである。
【００５８】
また、このような参考形態の手摺装置において、前記の第一、第二、第四、第五実施形態と同様の構成により、ブラケットに対する手摺部の長手方向軸周りの取付角度を選択可能なものとしてもよい。
【００５９】
すなわち、この手摺装置は、ブラケットに対する、手摺部の長手方向軸回りの取付角度が選択可能であって、照明部のパネル体に対する照射方向を変えられるものである。
【００６０】
このような構成によれば、照明部のパネル体に対する照射方向を変えることにより、設置面への投影状態を変化させることができる。
【００６１】
また、このような参考形態の手摺装置において、前記の第三実施形態と同様の構成により、手摺部に対する照明部の手摺部長手方向軸周りの取付角度を選択可能なものとしてもよい。
【００６２】
すなわち、この手摺装置は、手摺部に対する、照明部の手摺部長手方向軸回りの取付角度が選択可能であって、照明部のパネル体に対する照射方向を変えられるものである。
【００６３】
このような構成によれば、照明部のパネル体に対する照射方向を変えることにより、設置面への投影状態を変化させることができる。
【００６４】
さらに、このような参考形態の手摺装置において、前記と同様に、手摺部と支持部又は照明部と手摺部に角度決め構造を設けてもよいし、手摺部に外周側に突出するカバー部を設けてもよい。
【００６５】
本発明は、前記の実施形態に限定されない。たとえば、手摺部、支柱、ブラケット及びパネル体の各部の形状は、前記の要件を満たす範囲内で、使用目的、設置場所の状況や意匠性などを考慮して適宜変更できる。また、照明部の構成も一例を示したものであり、その形状はどのようなものであってもよく、手摺部長手方向の全長にわたって設けてもよいし、一部にのみ設けてもよい。
【符号の説明】
【００６６】
１  手摺部
２  支柱
３  ブラケット
４  照明部
【図１】
2019124088.tif 000003
【図２】
2019124088.tif 000004
【図３】
2019124088.tif 000005
【図４】
2019124088.tif 000006
【図５】
2019124088.tif 000007
【図６】
2019124088.tif 000008
【図７】
2019124088.tif 000009
【図８】
2019124088.tif 000010
【図９】
2019124088.tif 000011
【図１０】
2019124088.tif 000012
【図１１】
2019124088.tif 000013
【図１２】
2019124088.tif 000014
【図１３】
2019124088.tif 000015
【図１４】
2019124088.tif 000016
【図１５】
2019124088.tif 000017
【図１６】
2019124088.tif 000018